(57)【要約】表示モジュールは、半径方向で交互の方向に着磁されたＮ対の磁極を有し、Ｎは３または５であるロータ（６）と、周縁の閉じたベルトから内側に延びる半径方向の磁極歯で構成され、Ｗ字の中央脚部上にコイル（５）を有する少なくとも２つのＷ字形状の回路を有するステータ部（４）とを含む２相モータを有し、前記Ｗ字形状の回路は、Ｗ字形状の回路の１つの中央歯が、ロータの磁気的移行部に対向する位置に置かれた場合に、別のＷ字形状の回路の少なくとも１つの中央歯が、ロータ磁極に対向する位置に置かれるように配置される。前記表示モジュールは、ロータとステータとの間で機械的に独自に相互作用する少なくとも１つの手段（１３）であって、ロータ（６）のステータ（４）に対する速度に応じたほぼ一定の力で、ロータとステータとの間の電磁相互作用によって生じるトルク未満の値の角度方向の摩擦を付与する、少なくとも１つの手段（１３）をさらに含む。
2014534803.tif 000002
【特許請求の範囲】
【請求項１】
半径方向で交互の方向に着磁されたＮ対の磁極を有し、Ｎは３または５であるロータ（６）と、閉じた周縁ベルトから内側に延びる半径方向の磁極歯（２０）で構成され、Ｗ字の中央脚部上にコイル（５）を有する少なくとも２つのＷ字形状の回路を有するステータ部（４）とを含む２相非潤滑モータを有する表示モジュールであって、前記Ｗ字形状の回路は、前記Ｗ字形状の回路の１つの中央歯が、ロータの磁気的移行部に対向して位置した時に、別のＷ字形状の回路の少なくとも１つの中央歯が、ロータ磁極に対向して位置するように配置される、表示モジュールにおいて、
前記ロータと前記ステータとの間で機械的に相互作用し、前記ロータ（６）の前記ステータ（４）に対する相対速度に従ったほぼ一定の力で、前記ロータと前記ステータとの間の電磁相互作用によって生じるトルク未満の値の角度方向の摩擦を付与する少なくとも１つの特定の手段（１３，１４、１５）を含むことを特徴とする、表示モジュール。
【請求項２】
前記表示モジュールは、前記ステータに固定されたハウジング（２）と、ポインタ（２２）を駆動する出力ホイール（９）を含む、前記モータの速度を機械的に減速させるアセンブリとをさらに含むこと、および、前記特定の機械式相互作用手段は、前記出力ホイールの円盤部から切り出して形成された少なくとも１つの湾曲した摩擦アーム（１３、１５）と、前記ハウジングに固定された摺動路（１４）とで構成されることを特徴とする、請求項１に記載の表示モジュール。
【請求項３】
前記摩擦アームは、ポリオキシメチレンポリマーから作製されることを特徴とする、請求項２に記載の表示モジュール。
【請求項４】
前記摺動路は、前記摩擦装置（１３）の端部（１５）と接触した状態になることを特徴とする、請求項２または３に記載の表示モジュール。
【請求項５】
前記端部は湾曲形状を有することを特徴とする、請求項４に記載の表示モジュール。
【請求項６】
Ｎ個の可撓性摩擦アーム（１３）を含み、前記摩擦アーム（１３）の摺動端部は、３６０／Ｎ°だけ離間し、Ｎは２または３であることを特徴とする、請求項２〜５のいずれか一項に記載の表示モジュール。
【請求項７】
前記ステータ（４）は環状ベルトを有し、歯（１８）のセットは、相補的形状の機械連結手段を有する前記ハウジング（２）に固定するためのショルダ部（１９）を形成する環状セグメントから半径方向に延びることを特徴とする、請求項１〜６のいずれか一項に記載の表示モジュール。
【請求項８】
少なくとも５つの歯が、半径方向に測定して、同一の長さを有することを特徴とする、請求項１〜７のいずれか一項に記載の表示モジュール。
【請求項９】
曲がった歯の長さは同一であることを特徴とする、請求項１〜８のいずれか一項に記載の表示モジュール。
【請求項１０】
前記コイルおよび前記コイルを担持する前記歯の長さは、実質的に同じであるが、前記ステータのくりぬいた中央領域の断面未満であることを特徴とする、請求項９に記載の表示モジュール。
【請求項１１】
前記歯の端部は形状が平行六面体であることを特徴とする、請求項１〜１０のいずれか一項に記載の表示モジュール。
【発明の詳細な説明】
【技術分野】
【０００１】
本発明は、概して３６０°未満の角度位置で部材を正確に位置決めするステッピング電気モータの分野に関する。より詳細には、本発明は、計器パネル表示モジュールに関する。
【背景技術】
【０００２】
先行技術において、電気コイルによって励磁されるステータ部と、半径方向で交互の方向に着磁されたＮ対の磁極を有し、Ｎは３または５である着磁ロータとによって形成された２相モータについて記載した特許文献１が公知である。ステータ部は、中央脚部を囲む電気コイルをそれぞれが含む少なくとも２つのＷ字形状の回路を有する。Ｗ字形状の回路は、中央脚部の一方が、磁気的移行部に対向して位置する場合に、他方の中央脚部が、磁極に対向して位置するように配置される。Ｗ字形状の回路の脚部の磁極片は、角度方向にπ／４だけ離間し、異なる相に属する２つのＷ字形状の回路の中央脚部の磁極片は、約π／２±ｋ・π／Ｎの角度だけ角度方向に離れており、ここで、Ｎは磁極対の数量、すなわち、３または５であり、ｋは、０、１、または２である。
【０００３】
目盛盤と、目盛盤の後ろに配置されたハウジングと、ハウジング内に配置された駆動制御部と、駆動制御部によって駆動される回転シャフトとを含む表示測定装置について記載した株式会社デンソー（ＤＥＮＳＯ）の特許文献２も公知である。
【０００４】
回転シャフトは、２つのベアリングによってそれぞれ支持された２つの細いシャフトと、２つの細いシャフトを連結する太いシャフトとで構成される。各細いシャフトの長さおよび外径は、外径に対する長さの比が、十分な曲げ強度を保証するようなものとされる。したがって、回転シャフトは、ガタつくことなく回転し、シャフトに担持された表示針は、車両の運転状態の正確な値を示す。
【０００５】
先行技術の問題解決策の技術的な目的は、製造の単純さ、および減速機など関連する機構の統合の可能性という利点を損なうことなく、トルクを増大し、磁束遮断片をなくすことである。
【０００６】
出力回転シャフトに向かう潤滑油の流れの問題を修正するように改良されたアクチュエータについて記載した特許文献３も公知である。
この特許は、ハウジングと、ステータとの相互作用によって回転するロータと、ロータの回転を減速するための減速ギヤ列とを含む測定装置用のアクチュエータについて説明している。
【０００７】
減速機は、出力回転シャフトが、ハウジングから突出した部分の中央に配置され、歯が外周に配置された一連の出力減速ギヤを含む。出力ギヤにおいて、潤滑油が出力回転シャフトの歯の部分から流れるのを防止するように、溝が形成される。溝は、出力回転シャフトを囲む出力ギヤの半径方向に設けられる。
【０００８】
装置は、油を回収することを目的とするアームを有し、油は、表示窓上に油が広がるのを防止するために、シートに向かって送られる。
これらの摺動アームは、油排出機能を有する。
【０００９】
特許文献４に記載されたアクチュエータも公知であり、そのアクチュエータは円周方向に沿った複数の磁極を有するロータと、ロータの磁極に対向するように配置された１対の磁性ヨークと、位相差をもたらすパルスに応答して、磁性ヨーク対をそれぞれ励磁するための１対の励磁コイルとを設けたステッピングモータを含む。
【００１０】
アクチュエータの改良型について記載した特許文献５、および特許文献６も公知である。
【先行技術文献】
【特許文献】
【００１１】
【特許文献１】米国特許第６０４３５７４号明細書
【特許文献２】仏国特許第２８０７１６０号明細書
【特許文献３】特開２００４−２５１３５４号公報
【特許文献４】欧州特許出願公開第１２４４２００号明細書
【特許文献５】欧州特許出願公開第１４５８０８２号明細書
【特許文献６】欧州特許第１４５０１３８号明細書
【発明の概要】
【発明が解決しようとする課題】
【００１２】
先行技術のこれらの問題解決策は、概ね十分であるが、場合によっては、被動部材の動作が、第１にモータの機能および特性（過剰に高い電流を用いないトルク、および非定電流を用いたトルク）に起因して、第２にギヤ列の遊びに起因して、ガタつきを呈するように見える。これらのガタつきは、特に、表示部によって特定の速度に達したときに起こる。使用者の観点から、第１の欠点は、使用者が感じる動作の滑らかさの欠如であり、これは、視覚的な不快感、および情報の精度の低下をもたらす。第２の欠点は、これらのガタつきによって生じる過度の振動による、使用者に聞こえる騒音であり、やはり不快感をもたらす。最後に、これらの同じ振動が、モータ付きアセンブリの有効寿命に悪影響を及ぼすことがあり、モータ付きアセンブリの早期の交換が必要になる。
【課題を解決するための手段】
【００１３】
被動部材の動作の滑らかさを改善するために、本発明は、本発明の最も一般的に受け入れられる形として、半径方向で交互の方向に着磁されたＮ対の磁極を有し、Ｎは３または５であるロータと、閉じた周縁ベルトから内側に延びる半径方向の磁極歯で構成され、Ｗ字の中央脚部上にコイルを有する少なくとも２つのＷ字形状の回路を有するステータ部とを含む２相モータを有する表示モジュールであって、前記Ｗ字形状の回路は、Ｗ字形状の回路の１つの中央歯が、ロータの磁気的移行部に対向して位置する場合に、別のＷ字形状の回路の少なくとも１つの中央歯が、ロータ磁極に対向して位置するように配置される表示モジュールに関する。さらに、表示モジュールは、ロータとステータとの間で機械的に相互作用し、ロータのステータに対する相対速度に従ったほぼ一定の力で、ロータとステータとの間の電磁相互作用によって生じるトルク未満の値の角度方向の摩擦を付与する少なくとも１つの特定の手段を含む。この角度方向の摩擦は乾燥摩擦であり、潤滑剤のない状態で、接触している２つの物体の相対運動を妨げる力を作用させる。２つの非潤滑面間の乾燥摩擦は、
−  摩擦力は、２つの面を互いに押し付ける力に比例する、
−  摩擦力は、見かけの接触面積とは無関係である、
−  動的摩擦力は、２つの面の相対速度とは無関係である、
という事実を特徴とする複雑な現象である。
【００１４】
本発明によるセンサは潤滑剤を含まず、特に、ギヤを収容する空間には、潤滑剤、特に、液体潤滑剤がない。
摩擦は、接触する２つの面を当接させる、回転軸に平行な垂直成分と、接触している２つの面の相互作用による角度方向の運動に対する抵抗力を発生させる接線成分とを有する。
【００１５】
摩擦手段を介在させることは、通常、系内の摩擦を低減しようとする当業者にとっては極めて異例である。
発生する摩擦トルクは、モータの残留トルク、すなわち、着磁されたロータとステータの強磁性磁極との間の、電流を用いることのない相互作用トルクに対して発生しなければならない。好ましくは、導入される摩擦トルクは、有利には、残留トルク（電流を用いない）とモータトルク（電流を用いる）との間のトルクを発生させなければならない。
【００１６】
優先的には、トルクは、最小で、モータの残留トルクの最大値の２倍である。こうすることで、この摩擦トルクは、モータによって駆動される表示部の滑らかな動作を保証し、動作音を低減させる。
【００１７】
この乾燥摩擦は、電流を用いないトルク外乱ＣＯをもたらす。有利には、この最小限の摩擦トルクは、電流を用いない残留トルクＣＯの約２倍である。
好ましい実施形態によれば、モジュールは、より正確には、ステータに固定されたハウジングと、ポインタを駆動する出力ホイールを含む、ロータ速度を機械的に減速させるためのアセンブリと、前記出力ホイールの円盤部に切り込みを入れて形成された少なくとも１つの弓形摩擦アーム、および前記ハウジングに固定された摺動路によって形成された専用の機械式相互作用手段とを含む。
【００１８】
前記摩擦アームは、ポリオキシメチレン（ＰＯＭ）ポリマーから作製されるのが好ましい。材料の機械クリープは変化するので、新品のときに（すなわち、製造時）、要求される最終摩擦トルクよりも遙かに大きい（最終値の約３〜５倍）摩擦トルクを得るために、理想的には、公知の材料強度公式とＰＯＭの公知の摩擦係数とに従って、摩擦アームの寸法を決めることが必要である。したがって、残留トルクが２０μＮｍのモータの場合、出力ホイールに作用する達成すべき摩擦は４０μＮｍであり、１つまたは複数の摩擦アームは、新品の場合に、少なくとも１２０〜２００μＮｍのトルクが得られるように寸法を決められる。経時的に、または高い熱勾配下で経年変化が加速するとともに、材料のクリープ（機械弾性係数の低下）により摩擦が低下し、この摩擦は、必要とされる最終値に向かって安定化する。これは、デルリンの機械弾性係数（ヤング率）が、応力下で約８０％低下することが実験で認められたためである。
【００１９】
同様に優先的には、前記摺動路は、前記摩擦要素の端部と接触した状態になり、半径が、典型的には約０．４ｍｍの湾曲形状を有する。
好ましくは、モジュールは、Ｎ個の可撓性摩擦アームを含み、摩擦アームの摺動端部は、３６０／Ｎ°だけ離間し、Ｎは２または３である。
【００２０】
特定の変形形態によれば、ステータは環状ベルトを有し、歯のセットは、相補的形状の機械連結手段を有するハウジングに固定するためのショルダ部を形成する環状セグメントから半径方向に延びる。
【００２１】
このショルダ部は、ステータとハウジングとの間を高い剛性で機械連結し、ハウジングを用いて、ステータとロータとの間の遊びの原因を減らす。
別の有利な変形形態によれば、ステータは、半径方向に測定して、同じ長さを有する少なくとも５つの歯を有する。この実施形態は、ガタつきの別の原因を減らす。
【００２２】
Ｗ字形状の回路の場合、曲がった歯の長さは同一であるのが好ましい。
有利には、コイルおよび前記コイルを担持する歯の長さは実質的に同じであるが、ステータのくりぬいた中央領域の断面未満である。
【００２３】
好ましい実施形態によれば、歯の端部は形状が平行六面体である。この解決策は、電流を用いたトルクを増大させ、したがって、動作の流れの改善に寄与する。
添付図面を参照した、詳細な例示的実施形態についての以下の記述を読むことにより、本発明の特徴および利点が明らかになるであろう。
【図面の簡単な説明】
【００２４】
【図１】ハウジングの上部カバーが除去された、本発明の実施形態による第１のモジュールの斜視図である。
【図２】ハウジングの底部カバーが除去された、本発明の実施形態による第１のモジュールの斜視図である。
【図３】モータハウジングの底部カバーの単独図である。
【図４】第１の表示モジュールに組み込まれる機械式減速装置の出力ホイール単独の斜視図である。
【図５】第１の表示モジュールに組み込まれる機械式減速装置の出力ホイール単独の正面図である。
【図６】第１の表示モジュールの断面図である。
【図７】図６に示す断面図の詳細図である。
【図８】第１の表示モジュールに組み込まれるモータの軟強磁性ステータの単独図である。
【図９】第１の表示モジュールによって駆動されるポインタの単独図である。
【図１０】ハウジングの底部カバーが削除された、本発明の第２の実施形態による第２の表示モジュールの斜視図である。
【発明を実施するための形態】
【００２５】
図１は、図２で参照符合３の付いた上部カバーがない斜視図で、表示モジュール１を示している。この上部カバー３は、底部カバー２とともに、制御される部材、この事例では、ここで図示していない指針、またはポインタの回転を可能にするすべての要素を収容するハウジングを形成する。底部カバー２は、ハウジングが、ここでは図示していない印刷回路板に配置されるのを可能にする、２つの変形可能な機械式連結ラグ１１を有する。
【００２６】
表示モジュール１の内部には、図８で参照符合１８、２０、２１の付いたいくつかの歯で形成された軟強磁性ステータ４から構成されるモータがあり、そのうちの２つの歯２０は、電流を供給されることを意図されたコイル５を担持している。これらのコイル５によって発生した磁束は、３つ、または５つのＮ極を有する着磁ロータ６と相互作用し、着磁ロータ６を軟強磁性ステータ４に対して移動させる。
【００２７】
動かされる部材の回転速度を落とすために、減速アセンブリは、着磁ロータ６に固定された第１のホイール７と、第１のホイール７と噛み合った中間ホイール８と、出力ホイール９とを含む。こうして形成された減速システムは、３つの別個のホイールを含む。
【００２８】
３番目で最後のホイールである出力ホイール９は、制御される部材、この事例では、ここに図示していない指針を受ける中空スピンドル（１０）を形成するために、軸方向に突出している。
【００２９】
図２は、表示モジュール１を底部カバー２のない斜視図で示している。この底部カバー２は、連結要素１２によって上部カバー３に機械的に連結される。出力ホイール９は、軸方向に、すなわち、中空スピンドル１０の回転軸に沿って撓んで変形することができる、前記出力ホイール９内に切り出された３つの摩擦アーム１３を有する。
【００３０】
これらのアームは、湾曲したヘアピンの形状に切り出すことで範囲を限定され、摺動端部（１５）の反対側の後端部はホイール（９）の延長部である。底部カバー２および上部カバー３が互いに取り付けられてハウジングを形成したときに、これらの摩擦アーム１３は、図４で参照番号の付いた、摩擦アーム１３の湾曲した摺動端部が、図３で参照番号１４の付いた、底部カバー２に固定された摺動路に当接することで、機械的に圧迫を受けることを意図されている。端部１５の湾曲形状により、１点での接触が確実になる。この湾曲形状部１５は、ホイール９の面に対して若干突出し、アームを圧力下に置く。この圧力は、（湾曲部分の約０．１５〜０．２５ｍｍの移動により）アームを後端部に対して若干変形させ、ホイールの回転軸に平行な力を加え、湾曲領域を摺動路１４に押し当てて絶えず接触させる。
【００３１】
この底部カバー２を示す図３において、円形の摺動路１４は、中空スピンドル１０が通って、底部カバー２および上部カバー３に出てくるのを可能にすることを目的とする開口２３の周縁部に見ることができる。
【００３２】
図４および図５に示す出力ホイール９の単独図において、中空スピンドル１０のまわりに１２０°で配分された３つの摩擦アーム１３をより良好に見ることができる。これらの３つの摩擦アーム１３は、ホイール内で、特定の長さおよび幅に切り出され、この長さおよび幅は、最適な軸方向剛性が得られるように調整されなければならない。これらのアーム１３の厳密な寸法決定は、材料の強度を計算することで達成される。ポリオキシメチレン（ＰＯＭ）タイプのポリマープラスチック材料は、強度において有利な機械抵抗を維持しながら、用途および出力ホイール９の大きさに適合した剛性を得ることを可能にすることから好ましい。これらの摩擦アーム１３の寸法決定は、アーム１３を梁とみなした材料の強度計算によってなされる。アーム１３の許容可能な最大変形量を既知として、出力ホイール９に加えられる所要摩擦トルクを得るための摩擦力を用いることで、以下の公式に従って、アームの幅および長さを最適化して、アームの寸法を決定することが可能になる。
【００３３】
【数１】
2014534803.tif 000003
式中、Ｅ［Ｎ／ｍ２］は、使用される材料のヤング率であり、ＩＧＺ［ｍ４］は、形成される梁の曲げ軸に関する断面二次モーメントであり、ｙ［ｍ］は、湾曲した摺動端部１５の撓みであり、ｌ［ｍ］は、摩擦アーム１３の長さである。
【００３４】
したがって、これらの摩擦アーム１３のそれぞれは、底部カバー２の摺動路１４に個別に摺動当接する湾曲摺動端部１）を有する。
特に典型的であるが、決して限定しない例として、出力ホイールが約１０ｍｍの直径を有する場合、効果的な解決策は、幅が１ｍｍで、それぞれが、約７５°の開き角を有する３つの摩擦アームを７．８５ｍｍの直径上に形成することである。
【００３５】
さらに、出力ホイールが過度に大きい角度移動をするのを防止する機械的制限を構成するために、図３に示す底部カバー２のストッパ２４と協働する機械式ストッパ１６が、この出力ホイール９に型成形で形成される。
【００３６】
表示モジュール１の断面図を表す図６は、印刷回路板（図示せず）に接続された接続パッドに固定される、コイルの電気接続ラグ１７を示している。より具体的には、この図６では、出力ホイール９が指し示されている。破線のボックス２５は、構造的な意味があるのではなく、図７にさらに詳細に示す領域を示している。
【００３７】
この図７では、出力ホイール９が、その摩擦アーム１３の１つとともに示されている。摩擦アーム１３は、底部カバー２の摺動路１４との機械接触によって軸方向に圧迫されて撓み、そのため、カバー２に対する出力ホイール９の相対運動中に、経時的に変化する電流を用いたトルクおよび電流を用いないトルクか、または余分な機械的遊びかのいずれかによって引き起こされる出力ホイール９の運動を制限するクーロン摩擦が生じる。したがって、出力ホイール９の角速度に応じてより大きくも、より小さくもなり得るこの運動は、底部カバー２の摺動路１４を介して、前記底部カバー２と接触しながら圧迫される摩擦アーム１３の存在によって大幅に制限される。表示部のタイプ（大きさ、材料）に応じて、必要とされる表示部の所望の回転速度および品質レベル、摩擦トルク、ひいては摩擦アーム１３の数量および大きさは異なるが、上記に説明した寸法決定によって常に管理される。寸法決定において、機械系の任意の非線形性、さらには、経時的に変化し、時間的な、および／または熱的な安定化を必要とする材料の機械クリープの変化を考慮するために、実験的アプローチも大きな助けとなる。
【００３８】
図８は、電気コイル５を担持する２つの長歯２０と、２つの長歯２０間の中央歯２１と、５つの同一の歯１８とを含む、好ましい実施形態の軟強磁性ステータ４の単独図を示している。これらの歯は、このように２つのＷ字形状の回路を形成し、そのうちの１つの歯はそれぞれに共通である。歯を分散させることで、電流を用いないトルクが最小になり、ひいては、指針２２のガタつきを最小限にするのに寄与する。歯は、磁束を最適の態様で導き、電流を用いたトルクを増大させるのに寄与する平行六面体形状の端部を有する。
【００３９】
ステータ４を底部カバー２内に、より良好に配置するために、ステータ４の外部形状部にショルダ部１９が形成されている。
図９は、中空スピンドル１０によって駆動される指針またはポインタ２２を示している。
【００４０】
図１０は、本発明の第２の実施形態による第２の表示モジュール（１）を示している。この第２のモジュールは、出力ホイール９が、中空スピンドルから拡張されるのではなく、モータ出力シャフトであり、部材（図示せず）を回転させ、指示することを意図された針２６に固定されるという点で第１のモジュールと区別される。実際上、本発明の原理は、中空スピンドルを有するモジュールだけに限定されるものではない。第１のモジュールに関しては、出力ホイール９は、出力ホイール９の材料内に切り出された摩擦アーム１３を有する。摩擦アーム１３の数量および大きさは、本文で上記の教示に従って変更することができる。
【図１】
2014534803.tif 000004
【図２】
2014534803.tif 000005
【図３】
2014534803.tif 000006
【図４】
2014534803.tif 000007
【図５】
2014534803.tif 000008
【図６】
2014534803.tif 000009
【図７】
2014534803.tif 000010
【図８】
2014534803.tif 000011
【図９】
2014534803.tif 000012
【図１０】
2014534803.tif 000013
【国際調査報告】
2014534803.tif 000014
2014534803.tif 000015
2014534803.tif 000016
2014534803.tif 000017
2014534803.tif 000018
2014534803.tif 000019